(57)【要約】  空気調和機の室外機は、外郭を形成する筐体を有した空気調和機本体と、筐体に設けられた開口部をヒンジ機構部によって開閉自在に覆うサービスパネルと、を備えている。ヒンジ機構部は、空気調和機本体に設けられた筒状のヒンジ部と、サービスパネルに設けられ、ヒンジ部に着脱自在に差し込まれる爪部と、を有している。ヒンジ部には、爪部を軸に回動自在に構成されたサービスパネルが目標の位置まで回動すると爪部の動きを規制する切り欠き部が形成されている。
2019073547.tif 000002
【特許請求の範囲】
【請求項１】
外郭を形成する筐体を有した空気調和機本体と、
前記筐体に設けられた開口部をヒンジ機構部によって開閉自在に覆うサービスパネルと、を備え、
前記ヒンジ機構部は、
前記空気調和機本体に設けられた筒状のヒンジ部と、
前記サービスパネルに設けられ、前記ヒンジ部に着脱自在に差し込まれる爪部と、を有し、
前記ヒンジ部には、前記爪部を軸に回動自在に構成された前記サービスパネルが目標の位置まで回動すると前記爪部の動きを規制する切り欠き部が形成されている、空気調和機の室外機。
【請求項２】
前記爪部は、
前記サービスパネルから前記ヒンジ部に向かって突き出し、前記サービスパネルが目標の位置まで回動すると前記切り欠き部に嵌め込まれて動きが規制される回動部と、
前記回動部の一端に設けられて前記ヒンジ部の筒内に着脱自在に嵌め込まれる挿入部と、を有する、請求項１に記載の空気調和機の室外機。
【請求項３】
前記爪部には、前記回動部の一端から前記挿入部とは逆向きに突き出し、前記空気調和機本体に設けられた係合部に差し込まれる係合突起部を有する、請求項２に記載の空気調和機の室外機。
【請求項４】
前記回動部には、前記サービスパネルと前記挿入部との間隔を調整する間隔調整部が設けられている、請求項３に記載の空気調和機の室外機。
【請求項５】
前記切り欠き部は、矩形状に切り欠いた形状である、請求項１〜４のいずれか一項に記載の空気調和機の室外機。
【請求項６】
前記切り欠き部は、三角形状に切り欠いた形状である、請求項１〜４のいずれか一項に記載の空気調和機の室外機。
【請求項７】
前記切り欠き部は、下端部が円弧状となるように切り欠いた形状である、請求項１〜４のいずれか一項に記載の空気調和機の室外機。
【発明の詳細な説明】
【技術分野】
【０００１】
本発明は、外郭を形成する筐体に設けられた開口部を開閉自在に塞ぐサービスパネルを備えた空気調和機の室外機に関するものである。
【背景技術】
【０００２】
従来、空気調和機の室外機は、外郭を形成する筐体を有した空気調和機本体と、筐体に設けられた開口部を覆うサービスパネルと、を備えた構成が知られている。サービスパネルは、空気調和機本体の内部を点検等する際に取り外され、作業が終了するまで、一時的に他の場所に仮置きされる。例えば、室外機が同一箇所に多数設置されている場合、又は室外機が狭小な場所に設置されている場合等においては、取り外したサービスパネルの置き場所に困る事態が発生していた。特に、同一機種の室外機が多数設置されている場合においては、取り外して同一場所に仮置きしたサービスパネルが混同し、他の室外機に異なるサービスパネルを取り付けてしまう事態が想定される。サービスパネルには、製造番号及び現地での追加冷媒量等の重要な製品情報が記載されている。そのため、サービスパネルを取り違えてしまうと、空気調和機本体の情報とサービスパネルの情報とが一致しなくなり、製造号機の不一致又は追加冷媒情報の不一致等の問題が生じ、故障或いは事故の原因に繋がる虞がある。また、仮置きしたサービスパネルによって作業者の作業スペースが制限され、作業性が低下する虞もあった。【０００３】
例えば特許文献１に開示された空気調和機では、空気調和機本体の開口部を開閉自在に覆う下部前面パネルが設けられた構成である。下部前面パネルは、一端がヒンジ機構部によって、空気調和機本体に開閉自在に支持されている。下部前面パネルは、ヒンジ機構部を軸に回動自在に構成されている。
【先行技術文献】
【特許文献】
【０００４】
【特許文献１】特開２００８−１７５４５６号公報
【発明の概要】
【発明が解決しようとする課題】
【０００５】
特許文献１に開示された空気調和機では、空気調和機本体の内部を点検等する際に下部前面パネルを空気調和機本体から取り外す必要がないため、サービスパネルを取り違えることがない。しかし、この空気調和機では、回動させた下部前面パネルを目標の位置に固定する手段がない。つまり、下部前面パネルは、回動させることができても、開いた位置を固定できなければ風等によって揺れ動くため、点検作業等の邪魔になり、作業効率の低下を招く虞がある。【０００６】
本発明は、上記のような課題を解決するためになされたもので、空気調和機本体からサービスパネルを取り外すことなく開口部を開口させることができ、回動させたサービスパネルを目標の位置に固定させることができる、空気調和機の室外機を提供することを目的とする。
【課題を解決するための手段】
【０００７】
本発明に係る空気調和機の室外機は、外郭を形成する筐体を有した空気調和機本体と、前記筐体に設けられた開口部をヒンジ機構部によって開閉自在に覆うサービスパネルと、を備え、前記ヒンジ機構部は、前記空気調和機本体に設けられた筒状のヒンジ部と、前記サービスパネルに設けられ、前記ヒンジ部に着脱自在に差し込まれる爪部と、を有し、前記ヒンジ部には、前記爪部を軸に回動自在に構成された前記サービスパネルが目標の位置まで回動すると前記爪部の動きを規制する切り欠き部が形成されているものである。
【発明の効果】
【０００８】
本発明の空気調和機の室外機によれば、サービスパネルがヒンジ部に嵌め込まれた爪部を軸に回動自在に構成されているので、空気調和機本体からサービスパネルを取り外すことなく開口部を開口させることができる。そして、空気調和機の室外機は、サービスパネルが目標の位置まで回動すると爪部の動きを規制する切り欠き部がヒンジ部に形成されているので、回動させたサービスパネルを目標の位置で固定させることができる。
【図面の簡単な説明】
【０００９】
【図１】本発明の実施の形態１に係る空気調和機の室外機の斜視図である。
【図２】本発明の実施の形態１に係る空気調和機の室外機であって、サービスパネルを開いた状態を示した斜視図である。
【図３】本発明の実施の形態１に係る空気調和機の室外機のサービスパネルを示した斜視図である。
【図４】本発明の実施の形態１に係る空気調和機の室外機のヒンジ部の一例を示した説明図である。
【図５】本発明の実施の形態１に係る空気調和機の室外機のヒンジ部の異なる形態を示した説明図である。
【図６】本発明の実施の形態１に係る空気調和機の室外機のヒンジ部の異なる形態を示した説明図である。
【図７】本発明の実施の形態２に係る空気調和機の室外機の要部を模式的に示した説明図である。
【図８】本発明の実施の形態２に係る空気調和機の室外機の爪部の異なる形態を模式的に示した説明図である。
【発明を実施するための形態】
【００１０】
以下、図面を参照して、本発明の実施の形態について説明する。なお、各図中、同一又は相当する部分には、同一符号を付して、その説明を適宜省略又は簡略化する。また、各図に記載の構成について、その形状、大きさ、及び配置等は、本発明の範囲内で適宜変更することができる。
【００１１】
実施の形態１．
図１は、本発明の実施の形態１に係る空気調和機の室外機の斜視図である。図２は、本発明の実施の形態１に係る空気調和機の室外機であって、サービスパネルを開いた状態を示した斜視図である。図３は、本発明の実施の形態１に係る空気調和機の室外機のサービスパネルを示した斜視図である。図４は、本発明の実施の形態１に係る空気調和機の室外機のヒンジ部の一例を示した説明図である。
【００１２】
本実施の形態に係る空気調和機の室外機１００は、図１及び図２に示すように、外郭を形成する筐体１０を有する空気調和機本体１と、筐体１０に設けられた開口部１１をヒンジ機構部３によって開閉自在に覆うサービスパネル２と、を備えている。
【００１３】
筐体１０は、一例として前側面パネル１０ａ、底面パネル１０ｂ、天面パネル１０ｃ、及び背面パネル１０ｄで構成されている。前側面パネル１０ａは、筐体１０の前面側の一部と左側面側を構成するものであり、例えばＬ字形状の鋼製部材で構成されている。前側面パネル１０ａには、円形状の吹出口が形成されており、吹出口を覆うファンガード１２が取り付けられている。背面パネル１０ｄは、右側面側の一部と背面側を構成するものであり、例えばＬ字形状の鋼製部材で構成されている。前側面パネル１０ａの前面側と、背面パネル１０ｄの右側面側との間には、開口部１１が設けられており、該開口部１１がサービスパネル２で覆われている。この開口部１１は、空気調和機本体１の内部を点検等するために設けられている。空気調和機の室外機１００は、底面パネル１０ｂの下面に取り付けられた脚部１３を設置場所に固定して設置される。
【００１４】
なお、詳細に図示することは省略したが、筐体１０の内部には、例えば圧縮機、室外熱交換器、減圧装置、室外ファン及びファンモータ等が設けられている。圧縮機は、吸入した低圧冷媒を圧縮し、高圧冷媒として吐出する流体機械である。圧縮機としては、例えば、回転速度を調整自在なインバータ駆動の密閉型電動圧縮機などが用いられる。室外熱交換器は、冷房運転時には放熱器（例えば、凝縮器）として機能し、暖房運転時には蒸発器として機能する熱交換器である。減圧装置は、高圧冷媒を減圧して低圧冷媒とするものである。減圧装置としては、例えば開度を調節自在な電子膨張弁などが用いられる。
【００１５】
室外ファンは、例えば、プロペラファンで構成される送風手段である。室外ファンは、筐体１０の背面側から筐体１０の内部に外気を導入し、筐体１０の内部に導入された外気を筐体１０の前面側に向かって排出する機能を有する。室外ファンモータは、室外ファンを駆動する駆動手段である。
【００１６】
サービスパネル２は、図１〜図３に示すように、筐体１０の開口部１１を覆うようにＬ字状の鋼製部材で構成されている。サービスパネル２は、Ｌ字の一方の面が筐体１０の前側面の一部を構成し、Ｌ字の他方の面が筐体１０の右側面の一部を構成している。サービスパネル２は、筐体１０の前側面パネル１０ａにネジ等の接合部材で接合されており、空気調和機本体１の内部の点検等が行われる場合に接合部材が取り外され、図２に示すように、ヒンジ機構部３を介して回動される。なお、サービスパネル２には、重要な製品情報が記載されている。製品情報とは、例えば電気配線図、冷媒回路図、製造番号及び現地での追加冷媒量等である。
【００１７】
ヒンジ機構部３は、図１及び図３に示すように、空気調和機本体１に設けられた筒状のヒンジ部４と、サービスパネル２に設けられ、ヒンジ部４に着脱自在に差し込まれる爪部５と、で構成されている。
【００１８】
ヒンジ部４は、図４に示すように、円筒状の鋼製部材であり、上面に開口４１を有している。ヒンジ部４は、図１に示すように、背面パネル１０ｄの右側面側において、筐体１０の上下方向に沿って２つ設けられている。但し、ヒンジ部４を設ける位置及び個数は、図示した構成に限定されない。ヒンジ部４は、筐体１０の前後方向に設けてもよいし、１個又は３個以上設けてもよい。つまり、ヒンジ部４は、空気調和機本体１の大きさ又は形状に応じて適宜変更して設けるものとする。
【００１９】
また、ヒンジ部４は、背面パネル１０ｄに設ける構成に限定されない。室外機１００の構造によっては、背面パネル１０ｄを有しない場合がある。そのような場合には、例えば空気調和機本体１に上下方向に延びる板材を設け、該板材にヒンジ部４を取り付けたり、筐体１０の内部に配置した構成部材を利用してヒンジ部４を取り付けたりしてもよい。また、図示することは省略したが、ヒンジ部４は、外部から見えないように筐体１０の内側に設けてもよい。
【００２０】
ヒンジ部４には、図４に示すように、ヒンジ部４に嵌め込まれた爪部５を軸に回動自在に構成されたサービスパネル２が目標の位置まで回動すると爪部５の動きを規制する切り欠き部４０が形成されている。切り欠き部４０は、一例として、上端縁から下方に向かって矩形状に切り欠いた形状であり、サービスパネル２が目標の位置まで回動した位置に形成されている。
【００２１】
図５及び図６は、本発明の実施の形態１に係る空気調和機の室外機のヒンジ部の異なる形態を示した説明図である。切り欠き部４０は、図５に示すように、上端縁から下方に向かって三角形状に切り欠いた形状としてもよい。或いは、切り欠き部４０は、図６に示すように、下端部が円弧状となるように切り欠いた形状としてもよい。切り欠き部４０は、図５に示す三角形状又は図６に示す下端部が円弧状とすることで、爪部５をきっちりと位置決めさせて嵌め込むことができ、爪部５と切り欠き部４０との隙間によって生じるガタつきを防止することができる。
【００２２】
爪部５は、図１及び図３に示すように、回動部５０と挿入部５１とを有する下向きＬ字状で構成され、サービスパネル２の右側面側の縦縁部に設けられている。回動部５０は、ヒンジ部４に向かって突き出し、図２及び図４に示すように、サービスパネル２が目標の位置まで回動すると切り欠き部４０に嵌め込まれて動きが規制されるものである。挿入部５１は、回動部５０の一端に形成されてヒンジ部４の筒内に着脱自在に嵌め込まれるものである。
【００２３】
上記したように、実施の形態１に係る空気調和機の室外機１００では、サービスパネル２が、ヒンジ部４に嵌め込まれた爪部５を軸に回動自在に構成されている。したがって、空気調和機の室外機１００は、空気調和機本体１からサービスパネル２を取り外すことなく開口部１１を開口させることができるので、空気調和機本体１の内部を点検等する際に、サービスパネル２を取り外して一時的に他の場所に仮置きする必要がない。つまり、空気調和機の室外機１００は、同一機種の室外機が多数設置されている場合であっても、サービスパネル２を取り違えることがない。その上、サービスパネル２によって作業者の作業スペースが制限されることもないから、作業効率の向上に寄与することができる。
【００２４】
また、実施の形態１に係る空気調和機の室外機１００は、ヒンジ部４に嵌め込まれた爪部５を軸に回動自在に構成されたサービスパネル２が目標の位置まで回動すると爪部５の動きを規制する切り欠き部４０がヒンジ部４に形成されているので、回動させたサービスパネル２を目標の位置で固定させることができる。よって、空気調和機の室外機１００は、回動させたサービスパネル２が作業者の邪魔になることがないし、サービスパネル２に記載された重要な製品情報を確認しながら作業を行うことができるので、作業効率を高めることができる。
【００２５】
また、爪部５は、サービスパネル２からヒンジ部４に向かって突き出し、サービスパネル２が目標の位置まで回動すると切り欠き部４０に嵌め込まれて動きが規制される回動部５０と、回動部５０の一端に形成されてヒンジ部４の筒内に着脱自在に嵌め込まれる挿入部５１と、を有した構成である。つまり、実施の形態１の空気調和機の室外機１００は、ヒンジ機構部３を簡易な構造で構成したので、製造コストの削減に寄与することができる。
【００２６】
また、切り欠き部４０は、矩形状に切り欠いた形状とすることで、加工が容易となる。一方、切り欠き部４０は、三角形状に切り欠いた形状、又は下端部が円弧状となるように切り欠いた形状とすることで、加工が容易となる上に、爪部５の位置決めを容易に行うことができ、爪部５と切り欠き部４０との隙間によって生じるガタつきを確実に防止することができる。
【００２７】
実施の形態２．
次に、実施の形態２に係る空気調和機の室外機を図７及び図８に基づいて説明する。図７は、本発明の実施の形態２に係る空気調和機の室外機の要部を模式的に示した説明図である。図８は、本発明の実施の形態２に係る空気調和機の室外機の爪部の異なる形態を模式的に示した説明図である。なお、実施の形態１で説明した空気調和機の室外機１００と同一の構成については、同一の符号を付して、その説明を適宜省略する。
【００２８】
実施の形態２に係る空気調和機の室外機は、爪部５の形状が実施の形態１の空気調和機の室外機１００と異なる。実施の形態２に係る空気調和機の室外機の爪部５は、図７に示すように、回動部５０と挿入部５１とを有し、回動部５０の一端から挿入部５１とは逆向きに突き出し、空気調和機本体１に設けられた係合部６に差し込まれる係合突起部５２を有した横向きＴ字状とした構成である。係合部６は、一例として円筒状の鋼製部材であり、下面に開口６０を有している。係合部６は、筐体１０を構成する背面パネル１０ｄに設けられている。サービスパネル２は、係合突起部５２を背面パネル１０ｄの係合部６に差し込むことで、空気調和機本体１に安定させて取り付けることができる。係合突起部５２を係合部６へ差し込む方法は、図７の破線で示したように、切り欠き部４０を通じて爪部５をヒンジ部４に差し込み、係合部６に向かって上方へ持ち上げることにより行われる。
【００２９】
なお、係合部６は、円筒状の鋼製部材に限定されず、例えば背面パネル１０ｄに係合突起部５２を差し込むための孔を形成した構成でもよい。また、係合部６は、上記したように空気調和機本体１に上下方向に延びる板材を設けた場合、該板材に設けてもよい。要するに、係合部６は、爪部５の係合突起部５２を差し込むことができ、サービスパネル２を空気調和機本体１に安定させて取り付けることができる構成であれば、図示した構成に限定されず、様々な構成で実施することができる。
【００３０】
爪部５は、係合突起部５２を背面パネル１０ｄの係合孔に差し込む際の作業性を高めるために、係合突起部５２とサービスパネル２との間に、ある程度の間隔Ｓを設ける場合がある。一方で、サービスパネル２と挿入部５１との間に間隔を設けすぎると、サービスパネル２を回動させる際に、ガタつきが生じる虞がある。そこで、図８に示すように、回動部５０に、サービスパネル２と挿入部５１との間隔を調整する間隔調整部５３を設けることで、サービスパネル２のガタつきを防止することができる。
【００３１】
以上に本発明を実施の形態に基づいて説明したが、本発明は上述した実施の形態の構成に限定されるものではない。例えば、筐体１０は、前側面パネル１０ａ、底面パネル１０ｂ、天面パネル１０ｃ、及び背面パネル１０ｄとした構成に限定されず、他の構成であってもよい。また、筐体１０に設けられた開口部１１は、前側面パネル１０ａ、或いは他のパネルに孔を形成してもよい。また、サービスパネル２は、図示したＬ字状に限定されず、開口部１１の形状に合わせた形状であればよい。要するに、いわゆる当業者が必要に応じてなす種々なる変更、応用、利用の範囲をも本発明の要旨（技術的範囲）に含むことを念のため申し添える。
【符号の説明】
【００３２】
１  空気調和機本体、２  サービスパネル、３  ヒンジ機構部、４  ヒンジ部、５  爪部、６  係合部、１０  筐体、１０ａ  前側面パネル、１０ｂ  底面パネル、１０ｃ  天面パネル、１０ｄ  背面パネル、１１  開口部、１２  ファンガード、１３  脚部、４０  切り欠き部、４１  開口、５０  回動部、５１  挿入部、５２  係合突起部、５３  間隔調整部、６０  開口、１００  空気調和機の室外機。
【図１】
2019073547.tif 000003
【図２】
2019073547.tif 000004
【図３】
2019073547.tif 000005
【図４】
2019073547.tif 000006
【図５】
2019073547.tif 000007
【図６】
2019073547.tif 000008
【図７】
2019073547.tif 000009
【図８】
2019073547.tif 000010
【手続補正書】
【提出日】令和1年11月25日(2019.11.25)
【手続補正１】
【補正対象書類名】明細書
【補正対象項目名】０００７
【補正方法】変更
【補正の内容】
【０００７】
本発明に係る空気調和機の室外機は、外郭を形成する筐体を有した空気調和機本体と、前記筐体に設けられた開口部をヒンジ機構部によって開閉自在に覆うサービスパネルと、を備え、前記ヒンジ機構部は、前記空気調和機本体に設けられた筒状のヒンジ部と、前記サービスパネルに設けられ、前記ヒンジ部に着脱自在に差し込まれる爪部と、を有し、前記ヒンジ部には、前記爪部を軸に回動自在に構成された前記サービスパネルが目標の位置まで回動すると前記爪部の動きを規制する切り欠き部が形成されており、前記爪部は、前記サービスパネルから前記ヒンジ部に向かって突き出し、前記サービスパネルが目標の位置まで回動すると前記切り欠き部に嵌め込まれて動きが規制される回動部と、前記回動部の一端に設けられて前記ヒンジ部の筒内に着脱自在に嵌め込まれる挿入部と、前記回動部の一端から前記挿入部とは逆向きに突き出し、前記空気調和機本体に設けられた係合部に差し込まれる係合突起部と、を有するものである。
【手続補正２】
【補正対象書類名】特許請求の範囲
【補正対象項目名】全文
【補正方法】変更
【補正の内容】
【特許請求の範囲】
【請求項１】
外郭を形成する筐体を有した空気調和機本体と、
前記筐体に設けられた開口部をヒンジ機構部によって開閉自在に覆うサービスパネルと、を備え、
前記ヒンジ機構部は、
前記空気調和機本体に設けられた筒状のヒンジ部と、
前記サービスパネルに設けられ、前記ヒンジ部に着脱自在に差し込まれる爪部と、を有し、
前記ヒンジ部には、前記爪部を軸に回動自在に構成された前記サービスパネルが目標の位置まで回動すると前記爪部の動きを規制する切り欠き部が形成されており、
前記爪部は、
前記サービスパネルから前記ヒンジ部に向かって突き出し、前記サービスパネルが目標の位置まで回動すると前記切り欠き部に嵌め込まれて動きが規制される回動部と、
前記回動部の一端に設けられて前記ヒンジ部の筒内に着脱自在に嵌め込まれる挿入部と、
前記回動部の一端から前記挿入部とは逆向きに突き出し、前記空気調和機本体に設けられた係合部に差し込まれる係合突起部と、を有する、空気調和機の室外機。
【請求項２】
前記回動部には、前記サービスパネルと前記挿入部との間隔を調整する間隔調整部が設けられている、請求項１に記載の空気調和機の室外機。
【請求項３】
前記切り欠き部は、矩形状に切り欠いた形状である、請求項１又は２に記載の空気調和機の室外機。
【請求項４】
前記切り欠き部は、三角形状に切り欠いた形状である、請求項１又は２に記載の空気調和機の室外機。
【請求項５】
前記切り欠き部は、下端部が円弧状となるように切り欠いた形状である、請求項１又は２に記載の空気調和機の室外機。
【国際調査報告】
2019073547.tif 000011
2019073547.tif 000012
2019073547.tif 000013
2019073547.tif 000014